(57)【要約】【課題】  パネル枠本体を十分に補強でき、現場で簡単な作業を行うだけで壁パネル内の様々な箇所に配線器具を強固に取付けることができ、しかも製造コストの低い壁パネルを提供する。【解決手段】  一対の左右の縦桟６と一対の上下の横桟７ａ、７ｂとを矩形枠状に枠組みしてなるパネル枠本体４と、該パネル枠本体４の上下の横桟７ａ、７ｂ間に配設されて左右方向に摺動可能で且つ左右方向の任意の位置で固定手段にてパネル枠本体４に固定される摺動桟５とで、パネル枠２を構成する。配線器具取付け用の中縦桟材１０の上下両端に前記上下の横桟７ａ、７ｂに摺動可能な摺動横片９ａ、９ｂを設けて前記摺動桟５を形成する。【選択図】        図１
2005307655.tif 000002
【特許請求の範囲】
【請求項１】
一対の左右の縦桟と一対の上下の横桟とを矩形枠状に枠組みしてなるパネル枠本体と、該パネル枠本体の上下の横桟間に配設されて左右方向に摺動可能で且つ左右方向の任意の位置で固定手段にてパネル枠本体に固定される摺動桟とで、パネル枠を構成し、配線器具取付け用の中縦桟材の上下両端に前記上下の横桟に摺動可能な摺動横片を設けて前記摺動桟を形成して成ることを特徴とする壁パネル。
【請求項２】
上記摺動桟を、上下の摺動横片と、この上下の摺動横片の中間部同士を連結する中縦桟材と、で構成して横Ｈ字状に形成して成ることを特徴とする請求項１記載の壁パネル。
【請求項３】
上記摺動桟を、上下の摺動横片と、この上下の摺動横片の左右両端同士を連結する中縦桟材と、で構成してロ字状に形成してなることを特徴とする請求項１記載の壁パネル。
【請求項４】
上記パネル枠本体に摺動桟の左右方向の摺動範囲を規制する摺動範囲規制手段を設けて成ることを特徴とする請求項１〜３のいずれかに記載の壁パネル。
【請求項５】
上記パネル枠本体の上下の横桟のうち、上の横桟の左右両側に上の横桟の上方と矩形枠状のパネル枠本体によって囲まれた空所とを連通させる電線挿通用の通線孔を穿設し、中縦桟材に上記矩形枠状のパネル枠本体により囲まれた空所において摺動桟の左右両側に形成された空間を連通させる電線挿通用の配線挿通孔を穿設して成ることを特徴とする請求項１〜４のいずれかに記載の壁パネル。
【発明の詳細な説明】
【技術分野】
【０００１】
本発明は配線器具を取付け可能な壁パネルに関するものである。
【背景技術】
【０００２】
従来から建物の間仕切り壁として、矩形枠状のパネル枠本体と、パネル枠本体の上下の横桟間に架設した中縦桟とを備えたパネル枠を有する壁パネルが用いられており、この壁パネルは中縦桟によりパネル枠本体の補強がなされている（例えば特許文献１）。
【０００３】
しかし上記壁パネルのパネル枠本体は中縦桟自体の構造上の強度が弱くパネル枠本体の補強が十分ではない。またこの種の壁パネルにあってはパネル枠内にインターホン親機等の壁埋め込み型の配線器具を配設するのだが、パネル枠本体の上下の横桟間に架設した中縦桟が邪魔になって、配線器具を任意の位置に取付けられないことがあり、このように配線器具の取付位置が制限されてしまうことは壁の様々な箇所に配線器具を取付けたいという顧客のニーズに対応できないといった問題がある。従って従来ではこのような場合には現場において壁パネルを施工することを諦め、在来軸組みにて壁を形成してこの壁に配線器具を取付けたり、また現場において壁パネルを上下の横桟間に架設した中縦桟を取り外し、この後中縦桟をパネル枠本体の縦桟と平行にして配線器具が当たらない位置に配置し、次いでこの中縦桟をパネル枠に固定し、この後壁パネルに配線器具を配設していたのだが、このような施工は多大な労力が必要で、特に後者の施工作業において中縦桟をパネル枠本体の縦桟と平行にして配線器具が当たらない位置に配置する作業は非常に面倒である。またこのような壁パネル内に取付けられる配線器具を強固に固定できないといった問題もある。
【０００４】
また従来では中縦桟の壁パネルの幅方向における位置を変更した多品種の壁パネルを製造し、この多品種の壁パネルのうち、配線器具の取付位置に対応した壁パネルを利用したものがあるが、このように多品種の壁パネルを製造した場合、壁パネルの製造コストが高くなるといった問題が生じる。
【特許文献１】実開平１０−１９０号公報
【発明の開示】
【発明が解決しようとする課題】
【０００５】
本発明は上記従来の問題点に鑑みて発明したものであって、パネル枠本体を十分に補強でき、現場で簡単な作業を行うだけで壁パネル内の様々な箇所に配線器具を強固に取付けることができ、しかも製造コストの低い壁パネルを提供することを課題とするものである。
【課題を解決するための手段】
【０００６】
上記課題を解決するために本発明に係る壁パネルは、一対の左右の縦桟６と一対の上下の横桟７ａ、７ｂとを矩形枠状に枠組みしてなるパネル枠本体４と、該パネル枠本体４の上下の横桟７ａ、７ｂ間に配設されて左右方向に摺動可能で且つ左右方向の任意の位置で固定手段にてパネル枠本体４に固定される摺動桟５とで、パネル枠２を構成し、配線器具取付け用の中縦桟材１０の上下両端に前記上下の横桟７ａ、７ｂに摺動可能な摺動横片９ａ、９ｂを設けて前記摺動桟５を形成して成ることを特徴とする。配線器具取付け用の中縦桟材１０の上下両端に前記上下の横桟７ａ、７ｂに摺動可能な摺動横片９ａ、９ｂを設けて前記摺動桟５を形成することで、摺動桟５自体の構造上の強度を高めることができてパネル枠本体４を十分に補強できる。また施工現場において配線器具１６の取付け位置を確認した後に、上下の横桟７ａ、７ｂ間、即ちパネル枠本体４の内部空間である矩形枠状のパネル枠本体４によって囲まれた空間に配された摺動桟５を左右方向に摺動させて、摺動桟５を配線器具１６の取付け箇所以外の箇所に配置して固定でき、これにより配線器具１６の取付け位置が摺動桟５によって制限されることがなく、配線器具１６を壁パネル１内における様々な位置に取付けることができる。また摺動桟５を摺動させる時には上下の摺動横片９ａ、９ｂを対応するパネル枠本体４の横桟７ａ、７ｂに沿って摺動させることで、中縦桟材１０をパネル枠本体４の縦桟６と平行にしたまま摺動桟５を左右方向に摺動させることができ、これにより施工現場で簡単な作業を行うだけで壁パネル１内の様々な箇所に配線器具１６を取付けられるようになる。またこのように現場にて摺動桟５を摺動させることで様々な配線器具１６の取付位置に対応することができるため、壁パネル１の品種を少なくして壁パネル１の製造コストを削減できる。
【０００７】
また請求項２は請求項１において、上記摺動桟５を、上下の摺動横片９ａ、９ｂと、この上下の摺動横片９ａ、９ｂの中間部同士を連結する中縦桟材１０と、で構成して横Ｈ字状に形成して成ることを特徴とする。これにより摺動桟５自体の強度を簡単な構成により高めることができ、壁パネル１の製造コストを一層削減できる。
【０００８】
また請求項３は請求項１において、上記摺動桟５を、上下の摺動横片９ａ、９ｂと、この上下の摺動横片９ａ、９ｂの左右両端同士を連結する中縦桟材１０と、で構成してロ字状に形成してなることを特徴とする。これにより摺動桟５自体の強度をより一層高められる。
【０００９】
また請求項４は請求項１〜３のいずれかにおいて、上記パネル枠本体４に摺動桟５の左右方向の摺動範囲を規制する摺動範囲規制手段を設けて成ることを特徴とする。摺動範囲規制手段により作業者が設計者の設定した摺動範囲を越えて摺動桟５を摺動させることを防止でき、例えば摺動範囲規制手段で規制される摺動範囲を摺動桟５で矩形枠状のパネル枠本体４を十分に補強できる範囲に設定して、作業者が摺動桟５によってパネル枠本体４を十分に補強できない位置に摺動桟５を摺動させて固定することを防止できたり、また該摺動範囲を上の横桟７ａに穿設される電線挿通用の通線孔１３を摺動桟５の上の摺動横片９ａにて塞ぐことがない範囲に設定して、作業者が通線孔１３を塞ぐ位置に摺動桟５を摺動させて固定することを防止したりできる。
【００１０】
また請求項５は請求項１〜４のいずれかにおいて、上記パネル枠本体４の上下の横桟７ａ、７ｂのうち、上の横桟７ａの左右両側に上の横桟７ａの上方と矩形枠状のパネル枠本体４によって囲まれた空所８とを連通させる電線挿通用の通線孔１３を穿設し、中縦桟材１０に上記矩形枠状のパネル枠本体４により囲まれた空所８において摺動桟５の左右両側に形成された空間８ａ、８ｂを連通させる電線挿通用の配線挿通孔１２を穿設して成ることを特徴とする。壁パネル１を建物に立設した際に、上の横桟７ａの左右両側に設けた通線孔１３のうち一方の通線孔１３がパネル枠本体４の上の横桟７が取付けられる天井下地１８等により塞がれた場合には、天井裏に配された電線１５を上記パネル枠本体４の通線孔１３のうち、天井下地１８等によって塞がれていない通線孔１３からパネル枠本体４の空所８に導入して、この電線１５を配線器具１６に接続できる。しかもこの場合、天井裏の電線１５が接続される配線器具１６が、上記空間８ａ、８ｂのうち天井下地１８等により塞がれている通線孔１３に連通する一方の空間８ａ（又は８ｂ）に配設されている場合にも、天井下地１８等により塞がれていない通線孔１３から該通線孔１３に連通する他方の空間８ｂ（又は８ａ）に電線１５を導入すると共に、この電線１５を中縦桟材１０に穿設した配線挿通孔１２に通して配線器具１６が配設されている一方の空間８ａ（又は８ｂ）に導入して、天井裏の電線１５を配線器具１６に接続することができる。
【発明の効果】
【００１１】
本発明では、構造上の強度の高い摺動桟によりパネル枠本体を十分に補強でき、現場で簡単な作業を行うだけで壁パネル内の様々な箇所に配線器具を取付けることができ、しかも壁パネルの製造コストを削減できる。
【発明を実施するための最良の形態】
【００１２】
以下本発明を添付図面に示す実施形態に基いて説明する。図１に示すように本実施形態の壁パネル１は、一対の左右の縦桟６と一対の上下の横桟７ａ、７ｂとを矩形枠状に枠組みしてなるパネル枠本体４と、上下の横桟７ａ、７ｂ間に配設されて左右方向に摺動可能で且つ左右方向の任意の位置で固定手段にてパネル枠本体４に固定される摺動桟５と、で構成された木製のパネル枠２を有し、図示例のパネル枠本体４は上下に長い長方形枠状に形成されている。
【００１３】
上記パネル枠本体４を補強する役割を果たすパネル枠本体４とは別体の摺動桟５は配線器具取付け用の中縦桟材１０の上下両端に摺動横片９ａ、９ｂを設けてなるものであって、上下の摺動横片９ａ、９ｂは対応する上下の横桟７ａ、７ｂに摺動可能となっている。具体的に摺動桟５は、左右方向の長さが同じ上下の摺動横片９ａ、９ｂと、この上下の摺動横片９ａ、９ｂの左右方向における中間部同士を連結する摺動横片９ａ、９ｂに対して垂直な中縦桟材１０と、で構成されて前後方向から見て横Ｈ字状に形成されている。
【００１４】
摺動桟５はパネル枠本体４で囲まれた空所８における左右方向の任意の位置に配設され、この任意の位置で前述した固定手段となるねじや釘等の固着具１１にて上下の摺動横片９ａ、９ｂを上下の横桟７ａ、７ｂに固着することでパネル枠本体４に固定されている。この任意の位置で固定された摺動桟５により矩形枠状のパネル枠本体４によって囲まれた空所８は摺動桟５の中縦桟材１０によって左右に仕切られており、これにより空所８における摺動桟５の左右両側に配線器具配設用の空間８ａ、８ｂが形成されている。ここでパネル枠本体４の厚み寸法と摺動桟５の厚み寸法は同じであってパネル枠本体４の前面及び後面は夫々摺動桟５の前面及び後面と面一となっているものとする。
【００１５】
一方、パネル枠本体４の上下の横桟７ａ、７ｂのうち、上の横桟７ａの左右両端部の夫々には上下方向に貫通して横桟７ａの上方と矩形枠状のパネル枠本体４によって囲まれた空所８（詳しくは両空間８ａ、８ｂの夫々）とを連通させる通線孔１３を穿設してあり、図示例では左右方向に間隔を介した二つで一組となる通線孔１３を、上の横桟７ａの左右方向の両端部の夫々に一組づつ計二組設けている。これにより壁パネル１を後述するように建物に施工した際にはパネル枠本体４の空所８が各通線孔１３を介して天井裏に連通することとなる。また上記摺動桟５の中縦桟材１０の上部には左右方向に貫通して前記空間８ａ、８ｂを連通させる配線挿通孔１２を穿設してあり、図示例ではこの配線挿通孔１２を中縦桟材１０の上部に上下に間隔を介した複数箇所（２箇所）に穿設している。
【００１６】
また上下の横桟７には左右方向における摺動範囲を規制する摺動範囲規制手段として、摺動桟５の摺動範囲を表示して該摺動範囲を作業者に認識させる摺動範囲表示を設けている。この摺動範囲表示によって規制される摺動範囲は図１中イに示す範囲であって、この摺動範囲は摺動桟５が矩形枠状のパネル枠本体４を十分に補強でき、且つ中縦桟材１０の上端に設けた摺動横片９ａにて上の横桟７ａに穿設した全ての通線孔１３を塞ぐことがない範囲である。具体的に摺動範囲表示は、上下の横桟７の左右方向における中間を挟んだ両側に設けた上下に伸びる直線状の印１４で構成されており、左右両側の印１４が左右方向において前述した上の横桟７ａの左右方向の両端部に穿設した二組の通線孔１３の内側に位置するようにしている。なお上記印１４は横桟７の前面及び後面のうち、後述する工場出荷時において面材３が貼着された側の面とは反対側の面に設けられているものとする。
【００１７】
そして上記パネル枠本体４の前面及び後面には石膏ボードよりなる面材３を貼着してあり、これにより壁パネル１が形成されている。上記したように本実施形態の壁パネル１の摺動桟５は横Ｈ字状に形成しているので、簡単な構成で強度の高い摺動桟５となっており、該摺動桟５でパネル枠本体４を十分に補強できる。
【００１８】
以上説明してきた壁パネル１はパネル枠本体４の前後両面のうち片面にのみ面材３を貼着し、且つパネル枠本体４によって囲まれた空所８に摺動桟５を前述した固着具１１にてパネル枠本体４に固定しないで収納した状態、即ち摺動桟５が図１中矢印ロに示すように左右方向に摺動自在となった状態で工場より出荷される。この出荷時にはパネル枠本体４によって囲まれた空所８に配された摺動桟５は上下の摺動横片９ａ、９ｂが該摺動横片９ａ、９ｂと平行な横桟７ａ、７ｂに沿った状態となっているため、摺動桟５ががたつくことが抑えられ、これにより摺動横片９ａ、９ｂにより面材３を傷付けたり破損したりすることが防止される。
【００１９】
以下上記壁パネル１の施工例を示す。上記のように工場から出荷された壁パネル１はパネル枠本体４の下端部が建物に取付けられると共に平面視で上の横桟７ａに直交する天井野縁等の天井下地１８に上の横桟７ａが取付けられて建物の適宜箇所に立設される。ここで図示は省略するが上記天井下地１８には吊設されるか又は各天井下地１８の下面に貼着されるかして天井板が取付けられ、これにより天井板の上方に例えば二重天井の天井懐のような天井裏が形成される。
【００２０】
上記のように立設される壁パネル１には施工現場にてインターホン親機や、コンセント、スイッチ、等の配線器具１６が取付けられ、同時に天井裏に配されたＶＶＦケーブルのような動力線や情報線等の電線１５が壁パネル内１に配設される配線器具１６に接続される。
【００２１】
壁パネル１に配線器具１６を取付けるには、まず作業者はパネル枠本体４によって囲まれた空所８に配置された摺動桟５の上下の摺動横片９ａ、９ｂを夫々上下の横桟７ａ、７ｂに摺動させて、摺動桟５を配線器具１６の取付け位置と摺動範囲規制手段（印１４）により決定された摺動範囲を考慮した左右方向における中央の任意の位置に配置する。この摺動桟５の摺動時には上下の摺動横片９ａ、９ｂを該摺動横片９ａ、９ｂと平行な上下の横桟７ａ、７ｂに摺動させることができるので、両摺動横片９ａ、９ｂと上下の横桟７ａ、７ｂとが平行な状態を保ったまま摺動桟５を左右方向に摺動させることができ、摺動桟５を摺動した際に摺動桟５が倒れるといったことがなく摺動桟５を容易に摺動できるようになっている。また上記壁パネル１には摺動桟５の摺動範囲を表示する印１４を設けているので、作業者はこの印１４を見て摺動桟５を摺動させて、摺動桟５を該摺動桟５で矩形枠状のパネル枠本体４を十分に補強できて且つ摺動桟５の上の摺動横片９ａで通線孔１３を塞ぐことがない位置に配置できるようになっている。
【００２２】
そして上記ように摺動桟５をパネル枠本体４の任意の位置に配置した後、この任意の位置に配置された摺動桟５を前述したように固着具１１にてパネル枠本体４に固定する。次いで配線器具１６を空間８ａ、８ｂの少なくとも一方に配して、この配線器具１６を中縦桟材１０に該中縦桟材１０の左右方向に直交する側面に沿うように任意の取付け手段にて取付ける。この場合、配線器具１６は摺動桟５の中縦桟材１０に取付けることができるので、配線器具１６を強固に固定できる。
【００２３】
このように上記壁パネル１は、施工現場において配線器具１６の取付け位置を確認した後に、パネル枠本体４の空所８に配された摺動桟５を左右方向において摺動させて、摺動桟５を配線器具１６の取付け位置以外の箇所に配置できるため、配線器具１６の取付け位置が摺動桟５によって制限されず配線器具１６を壁パネル１内における様々な位置に取付けることができる。
【００２４】
また配線器具１６に天井裏に配された電線１５を接続するには、例えば上記のように空間８ａ、８ｂに配線器具１６を配設した後、該配線器具１６を配設した壁パネル１の任意の通線孔１３から天井裏の電線１５を空所８内に導入し、この導入した電線１５を配線器具１６に接続する。
【００２５】
ここで本実施形態の壁パネル１は、パネル枠２の上の横桟７ａの左右方向における両側に通線孔１３を穿設してあって、該通線孔１３により天井裏とパネル枠本体４の空所８とを連通させており、また中縦桟材１０に電線挿通用の配線挿通孔１２を穿設してあって、該配線挿通孔１２により空所８における摺動桟５を挟んだ左右両側に形成された空間８ａ、８ｂを連通させてあるので、図２に示す比較例のように、配線器具１６を配設した空間８ｂに連通する通線孔１３が、前述した天井下地１８や、図示しない固着具等によって天井下地１８が取付けられる上の横桟７ａに載置固定したブロック状の木材１９等により塞がれた場合には、図３に示すように天井下地１８等により塞がれていない通線孔１３に天井裏に配された電線１５を挿通させて空間８ａに導入し、この電線１５を配線器具１６に接続できるようになっている。しかもこの場合、図３に示すように配線器具１６が、上記空間８ａ、８ｂのうち天井下地１８等により塞がれている通線孔１３に連通する一方の空間８ａに配設されている場合にも、天井下地１８等により塞がれていない通線孔１３から該通線孔１３に連通する他方の空間８ｂに電線１５を導入すると共に、この電線１５を中縦桟材１０に穿設した配線挿通孔１２に通して配線器具１６が配設されている一方の空間８ａに導入して、天井裏の電線１５を配線器具１６に接続することができる。即ち天井下地１８等により塞がれていない通線孔１３が一つでもあれば配線器具１６の取付け箇所に関わらず天井裏に配された電線１５を配線器具１６に接続できるようになっている。
【００２６】
なお壁パネル１への配線器具１６の取付け及び天井裏の電線１５の配線器具１６への接続の施工順序は上記に限定されるものではない。またパネル枠本体４の前面及び後面のうち、工場出荷時に面材３を設けていない側の面には上記壁パネル１への配線器具１６の取付け及び天井裏の電線１５の配線器具１６への接続の後に必要があれば面材３が貼着されるものとする。
【００２７】
次に上記とは異なる実施形態について説明する。なお以下の説明では先の実施形態と同一の構成については同一の番号を付与してあり、重複する説明は省略する。
【００２８】
図４に示すように本実施形態では上記摺動桟５を、上下の摺動横片９ａ、９ｂと、この上下の摺動横片９ａ、９ｂの横桟７の左右両端同士を連結する前記摺動横片９ａ、９ｂに対して垂直な左右の中縦桟材１０とで構成して、摺動桟５を前後方向から見てロ字状（即ち矩形枠状）に形成してあり、両中縦桟材１０は左右方向において後述する施工にて両中縦桟材１０間に取付けられる配線器具１６（具体的にはインターホン親機）の幅寸法と略同じ間隔を介して配されている。両中縦桟材１０の上部には配線挿通孔１２を穿設してあり、図示例ではこの配線挿通孔１２を各中縦桟材１０の上部に上下に間隔を介した複数箇所（２箇所）に穿設している。
【００２９】
この摺動桟５によりパネル枠本体４の空所８は左右に仕切られ、空所８において摺動桟５の左右両側に空間８ａ、８ｂが形成され、またこの左右両側の空間８ａ、８ｂは両中縦桟材１０の夫々に穿設した配線挿通孔１２及び両中縦桟材１０間の空間２０を介して連通することとなる。このように本実施形態の摺動桟５はロ字状に形成されているので、摺動桟５によるパネル枠本体４の補強効果が増す。
【００３０】
上記壁パネル１に配線器具１６を取付ける場合は、例えば図４に示すように摺動桟５の両中縦桟材１０間に配線器具１６を配置して配線器具１６の左右の両側面を両中縦桟材１０の対向側面に沿わせ、この状態で任意の取付け手段により配線器具１６を中縦桟材１０に取付ける。これにより本実施形態の壁パネル１にあっては先の実施形態と比して配線器具１６を強固に取付けることができる。
【００３１】
またこのように配設される配線器具１６に天井裏に配された電線１５を接続するには、例えば上記のように両中縦桟材１０間に配線器具１６を配設した後、天井裏の電線１５を任意の通線孔１３から該通線孔１３に連通する空間８ａ（又は８ｂ）内に導入し、この導入した電線１５を中縦桟材１０に穿設した配線挿通孔１２に挿通して両中縦桟材１０間の空所に導入し、この電線を配線器具１６に接続する。
【００３２】
ここで本実施形態の壁パネル１にあっては、先の実施形態同様上の横桟７ａの左右方向における両端部に通線孔１３を穿設してあって、該通線孔１３により天井裏とパネル枠本体４によって囲まれた空所８とを連通させており、これに加えて両中縦桟材１０の夫々には配線挿通孔１２を穿設しているので、上の横桟７ａの両端部に穿設した通線孔１３のうち一方の通線孔１３が天井下地１８等により塞がれた場合にも、他方の天井下地１８等により塞がれていない通線孔１３から天井裏の電線１５を空所８内に導入すると共にこの電線１５を配線挿通孔１２に挿通させて両中縦桟材１０間の空所に導入して、天井裏の電線１５を配線器具１６に接続できるようになっている。なお上記では両中縦桟材１０を配線器具１６と略同じ間隔を介して配し、両中縦桟材１０間に配線器具１６を配設した例を示したが、これに限定されるものではなく、例えば摺動桟５の左右両側の空間８ａ、８ｂのうち一方に配線器具１６を配設し、該配線器具１６を中縦桟材１０の左右方向に直交する側面に沿うように任意の取付け手段にて取付けても良いものとする。
【００３３】
ところで上記図１及び図４に示す実施形態における壁パネル１の施工は大工工事作業者と電気工事作業者とで別々に行われることが考えられるが、この場合大工工事作業者は天井裏の電線１５を中縦桟材１０に取付けた配線器具１６に接続することを考えず、摺動範囲表示を越えて摺動桟５を摺動させ、これにより摺動桟５の上の摺動横片９ａで上の横桟７ａに設けた通線孔１３を塞いでしまったり、また単に大工工事作業者が摺動範囲表示を視認できずに摺動範囲を越えて摺動桟５を摺動させてしまったりしてしまうことがある。またこのような場合には大工工事作業者が作業を終了した後に電気工事作業者が作業を開始するのだが、上記大工工事作業者のミスにより通線孔１３が塞がれた場合、電気工事者は作業開始時に初めて通線孔１３が塞がれていることに気付くこととなり、結果、大工工事作業者は電気工事作業者の作業の開始時に摺動桟５の取付け位置を変更するといった施工を行わなければならず二度手間となる。そこでこの問題を改善するため図５に示すように上記摺動範囲規制手段として、パネル枠２のパネル枠本体４にストッパー２１ａ、２１ｂを設けることも好ましい。以下この摺動範囲規制手段としてストッパー２１ａ、２１ｂを設けた実施形態について説明する。なお先の図１の実施形態と同一の構成については同一の番号を付与してあり、重複する説明については説明を省略する。
【００３４】
図５に示すように本実施形態のパネル枠本体４の上の横桟７ａのその長手方向における中心を挟んだ両側には下方に突出するように木片からなる上ストッパー２１ａを設けてあり、またパネル枠本体４の下横桟７のその長手方向における中心を挟んだ両側には上方に向けて突出するように木片からなる下ストッパー２１ｂを設けてあり、両上ストッパー２１ａ、２１ａ間の距離及び両下ストッパー２１ｂ、２１ｂ間の距離を適宜設定することで、上記摺動桟５の摺動範囲を規制している。ここで両上ストッパー２１ａ、２１ａ及び両下ストッパー２１ｂ、２１ｂは左右方向において上の横桟７ａの左右両端部に設けた二組の通線孔１３よりも内側に設けてあり、また対応する上ストッパー２１ａ、２１ａ及び下ストッパー２１ｂ、２１ｂは左右方向において同じ位置に配設されているものとする。そして上記両上ストッパー２１ａ、２１ａ間及び両下ストッパー２１ｂ、２１ｂ間に摺動桟５の上下の摺動横片９ａ、９ｂが配置されて、この状態で摺動桟５は上記図１に示す実施形態と同様固着具１１によりパネル枠本体４に固定されている。
【００３５】
このように上記摺動範囲規制手段としてストッパー２１ａ、２１ｂを設けることで、施工現場において摺動桟５を摺動させる際に、摺動範囲を越えて摺動桟５を摺動させようとした場合にはストッパー２１ａ、２１ｂに上下の摺動横片９の左右方向における一端が当たることとなり、これにより大工工事作業者が摺動範囲を越えて摺動桟５を摺動させて、上の摺動横片９ａで上の横桟７ａに設けた通線孔１３を塞いでしまったり、また摺動桟５でパネル枠本体４を十分に補強できない位置に摺動させてしまうことを確実に防止できる。また壁パネル１の搬送時には両上ストッパー２１ａ、２１ａ間及び両下ストッパー２１ｂ、２１ｂ間に摺動桟５の上下の摺動横片９を配した状態で摺動桟５を空所８内に収めることができ、ストッパー２１ａ、２１ｂにより摺動桟５の左右方向におけるがたつきが抑えらるといった効果も有している。
【００３６】
なお本実施形態では摺動桟５を横Ｈ字状とした図１に示す先の実施形態の壁パネル１にストッパー２１ａ、２１ｂを設けた例を示したが、図６に示すように摺動桟５をロ字状とした図４に示す先の実施形態の壁パネル１に本実施形態同様ストッパー２１ａ、２１ｂを設けても良いものとする。
【図面の簡単な説明】
【００３７】
【図１】本発明の実施の形態の一例を示す壁パネルの概略正面図である。
【図２】比較例を示す壁パネルの概略正面図である。
【図３】同上の通線孔が天井下地等により塞がれた時の電線の接続を示す壁パネルの概略正面図である。
【図４】異なる実施の形態の一例を示す壁パネルの概略正面図である。
【図５】更に異なる実施の形態の一例を示す壁パネルの概略正面図である。
【図６】更に異なる実施の形態の一例を示す壁パネルの概略正面図である。
【符号の説明】
【００３８】
１  壁パネル
２  パネル枠
４  パネル枠本体
５  摺動桟
６  縦桟
７ａ  上の横桟
７ｂ  下の横桟
８  空所
９ａ  上の摺動横片
９ｂ  下の摺動横片
１０  中縦桟材
【図１】
2005307655.tif 000003
【図２】
2005307655.tif 000004
【図３】
2005307655.tif 000005
【図４】
2005307655.tif 000006
【図５】
2005307655.tif 000007
【図６】
2005307655.tif 000008